(57)【要約】【課題】オリジナル性の高いすごろくを比較的容易に作成する。【解決手段】写真と写真に関連のあるイベントとを複数受け付け（Ｓ１００〜Ｓ１６０）、受け付けた写真の数に応じて升目の数が異なるすごろく盤を設定し（Ｓ１７０〜Ｓ２００）、写真の撮影日付が古い順にスタートからゴールに向かって並ぶように受け付けた写真をすごろく盤の升目にレイアウトすると共に（Ｓ２４０）、写真をレイアウトした升目の次の升目に写真に関連のあるイベントをレイアウトし（Ｓ２５０）、写真とイベントとをレイアウトしたすごろく盤を印刷する（Ｓ２６０）。この結果、オリジナル性の高いすごろくを比較的容易に作成することができる。【選択図】図２
2011141808.tif 000002
【特許請求の範囲】
【請求項１】
すごろく盤の升目に写真とイベントとをレイアウトするすごろく作成装置であって、
複数枚の写真を受け付ける写真受付手段と、
前記受け付けられた写真に対応するイベントを受け付けるイベント受付手段と、
前記受け付けられた複数枚の写真の撮影日付を取得し、前記受け付けられた複数枚の写真がスタートからゴールに向かって撮影日付の古い順に並ぶと共に前記受け付けられたイベントが対応する写真と隣接して並ぶようレイアウトするレイアウト手段と、
前記受け付けられた写真とイベントとがレイアウトされたすごろく盤を出力する出力手段と、
を備えるすごろく作成装置。
【請求項２】
前記受け付けられた写真の枚数が多いほど多くの升目を配置してすごろく盤を生成するすごろく盤生成手段を備える請求項１記載のすごろく作成装置。
【請求項３】
請求項２記載のすごろく作成装置であって、
升目の数が異なる複数パターンのすごろく盤を記憶する記憶手段を備え、
前記受け付けられた写真の枚数に応じたパターンのすごろく盤を前記記憶手段から取得し、該取得したすごろく盤の升目に前記受け付けられた写真とイベントとをレイアウトする手段である
すごろく作成装置。
【請求項４】
前記出力手段は、前記写真とイベントとがレイアウトされたすごろく盤を印刷する手段である請求項１ないし３いずれか１項に記載のすごろく作成装置。
【発明の詳細な説明】
【技術分野】
【０００１】
本発明は、すごろく盤の升目に写真とイベントとをレイアウトするすごろく作成装置に関する。
【背景技術】
【０００２】
従来より、スタートからゴールに至る升目を配置し、サイコロを振って出た目の数だけ駒を進めてゴールを目指すすごろくが種々提案されている（例えば、特許文献１参照）。こうしたすごろくは、通常、使用する年齢層などを想定して、想定したユーザーが楽しむことができるよう、背景の写真やイベントが考えられるのが通常である。
【先行技術文献】
【特許文献】
【０００３】
【特許文献１】実開平６−６４６８９号公報
【発明の概要】
【発明が解決しようとする課題】
【０００４】
しかしながら、こうした既製品のすごろくでは、ユーザーによってはストーリーに感情移入できない場合があるため、ユーザー毎のオリジナルなすごろくを比較的容易により作成できるようにすることが望ましい。
【０００５】
本発明のすごろく作成装置は、オリジナル性の高いすごろくを比較的容易に作成することを主目的とする。
【０００６】
本発明のすごろく作成装置は、上述の主目的を達成するために以下の手段を採った。
【課題を解決するための手段】
【０００７】
本発明のすごろく作成装置は、
すごろく盤の升目に写真とイベントとをレイアウトするすごろく作成装置であって、
複数枚の写真を受け付ける写真受付手段と、
前記受け付けられた写真に対応するイベントを受け付けるイベント受付手段と、
前記受け付けられた複数枚の写真の撮影日付を取得し、前記受け付けられた複数枚の写真がスタートからゴールに向かって撮影日付の古い順に並ぶと共に前記受け付けられたイベントが対応する写真と隣接して並ぶようレイアウトするレイアウト手段と、
前記受け付けられた写真とイベントとがレイアウトされたすごろく盤を出力する出力手段と、
を備えることを要旨とする。
【０００８】
この本発明のすごろく作成装置では、複数枚の写真を受け付け、受け付けられた写真に対応するイベントを受け付け、受け付けられた複数枚の写真の撮影日付を取得し受け付けられた複数枚の写真がスタートからゴールに向かって撮影日付の古い順に並ぶと共に受け付けられたイベントが対応する写真と隣接して並ぶようレイアウトし、写真とイベントとがレイアウトされたすごろく盤を出力する。この結果、ユーザー毎のオリジナルなすごろくを比較的容易に作成することができる。ここで、前記出力手段は、前記写真とイベントとがレイアウトされたすごろく盤を印刷する手段であるものとすることもできる。
【０００９】
こうした本発明のすごろく作成装置において、前記受け付けられた写真の枚数が多いほど多くの升目を配置してすごろく盤を生成するすごろく盤生成手段を備えるものとすることもできる。こうすれば、受け付けた写真の数に拘わらず、バランスのとれたすごろくを作成することができる。この場合、升目の数が異なる複数パターンのすごろく盤を記憶する記憶手段を備え、前記受け付けられた写真の枚数に応じたパターンのすごろく盤を前記記憶手段から取得し、該取得したすごろく盤の升目に前記受け付けられた写真とイベントとをレイアウトする手段であるものとすることもできる。
【図面の簡単な説明】
【００１０】
【図１】本実施形態のマルチファンクションプリンター２０の概略構成図。
【図２】すごろく作成処理ルーチンの一例を示すフローチャート。
【図３】写真選択画面５０の一例を示す説明図。
【図４】イベント入力画面５２の一例を示す説明図。
【図５】すごろく盤の一例を示す説明図。
【図６】写真とイベントとがレイアウトされたすごろく盤の一例を示す説明図。
【発明を実施するための形態】
【００１１】
次に、本発明の実施の形態を図面を用いて説明する。図１は、本発明の一実施形態であるマルチファンクションプリンター２０の構成の概略を示す構成図である。本実施形態のマルチファンクションプリンター２０は、着色剤としてインクを記録紙Ｓに吐出することにより印刷を行なうプリンターユニット３０と、原稿台に載置された原稿を光学的に読み取って画像データを生成するスキャナーユニット３５と、メモリーカードスロット２８ａに挿入されたメモリーカードＭＣとの間でデータの入出力を司るメモリーカードコントローラー２８と、ユーザーによる各種操作が可能な操作パネル４０と、装置全体の制御を司るメインコントローラー２１とを備え、これらはバス２６を介して電気的に接続されている。
【００１２】
プリンターユニット３０は、プリンターＡＳＩＣ３２とプリンターエンジン３４とを備える。プリンターＡＳＩＣ３２は、プリンターエンジン３４を制御する集積回路であり、メインコントローラー２１から印刷指令を受けると、印刷指令の対象となる画像ファイルに基づいて記録紙Ｓに画像を印刷するようプリンターエンジン３４を制御する。プリンターエンジン３４は、印刷ヘッドから用紙へインクを吐出することにより印刷を行なう周知のインクジェット方式のカラープリンター機構として構成されている。なお、ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略である。
【００１３】
スキャナーユニット３５は、スキャナーＡＳＩＣ３６とスキャナーエンジン３８とを備える。スキャナーＡＳＩＣ３６は、スキャナーエンジン３８を制御する集積回路であり、メインコントローラー２１からのスキャン指令を受けると、原稿台に載置された原稿を画像データとして読み取るようスキャナーエンジン３８を制御する。また、スキャナーエンジン３８は、周知のイメージスキャナーとして構成され、原稿に向かって発光したあとの反射光をレッド（Ｒ）、グリーン（Ｇ）、ブルー（Ｂ）の各色に分解してスキャンデータとする周知のカラーイメージセンサーを備える。
【００１４】
メモリカードコントローラ２８は、操作パネル４０の横に配置されたメモリカードスロット２８ａに挿入されたメモリカードＭＣとの間でデータの入出力を行うものである。このメモリカードコントローラ２８は、メモリカードスロット２８ａにメモリカードＭＣが挿入されているときに、メモリカードＭＣに保存されているファイルを読み出してメインコントローラ２１に送信したりメインコントローラ２１からの命令を入力し該命令に基づいてメモリカードＭＣにデータを書き込んだりする。
【００１５】
操作パネル４０は、表示部４２とボタン類４４とを備える。表示部４２は、液晶ディスプレイであり、メニューの選択や設定を行なう各種操作画面などが表示される。また、ボタン類４４は、電源をオンオフするための電源ボタン４４ａや印刷やコピーの開始を指示するスタートボタン４４ｂ，各種印刷設定やコピー設定を行なうための設定ボタン４４ｃ，各種モードを選択するモード選択ボタン４４ｄ，各種項目や設定を選択するための上下左右の矢印キー４４ｅ，選択した設定を有効にするためのＯＫボタン４４ｆ，ひとつ前の画面に戻る戻るボタン４４ｇなどがあり、内部通信インタフェース２５を介してメインコントローラ２１にユーザの指示を入力できるようになっている。ここで、モード選択ボタン４４ｅにより選択可能なモードとしては、原稿台に載置した原稿をスキャンしてコピーするコピーモードやメモリカードＭＣに記憶された画像を用いて印刷したり原稿をスキャンしてデータ化してメモリカードＭＣに保存するメモリカードモード，写真フィルムをスキャンして印刷したりデータをメモリカードＭＣに保存したりするフィルムモードなどがある。
【００１６】
メインコントローラ２１は、ＣＰＵ２２を中心とするマイクロプロセッサとして構成されており、各種処理プログラムや各種データ、各種テーブルなどを記憶したＲＯＭ２３と、一時的にスキャンデータや印刷データを記憶するＲＡＭ２４と、操作パネル４０との通信を可能とする内部通信インタフェース２５とを備える。メインコントローラ２１は、プリンタユニット３０やスキャナユニット３５，メモリカードコントローラ２８からの各種動作信号や各種検出信号を入力したり、操作パネル４０のボタン類４４の操作に応じて発生する操作信号を入力したりする。また、メモリカードＭＣから画像ファイルを読み出してメインコントローラ２１へ出力する指令をメモリカードコントローラ２８に出力したり、画像データの印刷を実行するようプリンタユニット３０に指令を出力したり、操作パネル４０のボタン類４４のスキャン指令に基づいて原稿台に載置された原稿を画像データとして読み取るようスキャナユニット３５に指令を出力したり、操作パネル４０に表示部４２の制御指令を出力したりする。本実施形態では、Ｅｘｉｆ形式の画像ファイルをサポートしており、デジタルカメラにより写真（画像ファイル）に記録されたＥｘｉｆ情報（撮影日時やサムネイル）を読み込んで処理に用いることができる。
【００１７】
次に、こうして構成された本実施形態のマルチファンクションプリンタ２０の動作、特に、メモリーカードＭＣに保存されている写真を升目にレイアウトしてすごろくを作成する際の動作について説明する。図２は、すごろく作成処理ルーチンの一例を示すフローチャートである。この処理は、モード選択ボタン４４ｄによりメモリーカードモードが選択され、メモリーカードモード時に設定ボタン４４ｃにより各印刷設定のうち「すごろく作成」が選択されたときに実行される。
【００１８】
すごろく作成処理ルーチンが実行されると、メインコントローラー２１のＣＰＵ２２は、まず、写真選択画面を表示してすごろくに用いる写真の選択を受け付ける（ステップＳ１００）。写真選択画面５０の一例を図３に示す。図示するように、写真選択画面５０は、メモリーカードＭＣに保存されている写真のサムネイルが所定数ずつ表示されるようになっており、矢印キー４４ｅの左右キーによりカーソル５０ａを希望する写真に合わせてＯＫボタン４４ｆを押すことにより選択することができる。写真の選択を受け付けると（ステップＳ１１０）、続いて、イベント入力画面を表示してイベントの入力を受け付ける（ステップＳ１２０）。イベント入力画面５２の一例を図４に示す。図示するように、イベント入力画面５２は、「選択した写真に関連のあるイベントを入力してＯＫボタンを押して下さい。」などのメッセージを表示してイベントの入力を受け付ける。なお、イベントの入力は、マルチファンクションプリンター２０にキーボードを接続できるようにしてキーボードを介して入力を受け付けたり、表示部４２に仮想キーボードを表示して矢印キー４４ｅなどによりカーソルを移動させて文字を選択することにより入力を受け付けたりすることができる。イベントの入力が受け付けられると（ステップＳ１３０）。選択された写真を入力されたイベントに対応付けてＲＡＭ２４に一時的に保存すると共に（ステップＳ１４０）、本ルーチンの実行が開始された際に値０に初期化されている写真数Ｎを値１だけインクリメントし（ステップＳ１５０）、写真の追加を受け付ける（ステップＳ１６０）。写真の追加があるときにはステップＳ１００に戻ってステップＳ１００〜Ｓ１５０の写真の選択およびイベントの入力を受け付けて写真数Ｎを値１だけインクリメントする処理を繰り返し、写真の追加がないときには次の処理に進む。
【００１９】
そして、写真数Ｎを調べ（ステップＳ１７０）、写真数Ｎが所定数Ｎ１未満のときには、升目の数が比較的少ない小サイズのすごろく盤Ａを選択し（ステップＳ１８０）、写真数Ｎが所定数Ｎ１以上で且つ所定数Ｎ２未満のときには升目の数が標準の中サイズのすごろく盤Ｂを選択し（ステップＳ１９０）、写真数Ｎが所定数Ｎ２以上のときには升目の数が比較的多い大サイズのすごろく盤Ｃを選択する（ステップＳ２００）。このように、写真数Ｎに応じて升目の数を変えるのは、写真数Ｎが多いほどイベントの数も多くなるため、イベントの発生率をバランスさせるためである。図５に、すごろく盤Ａ〜Ｃの一例を示す。図示するように、本実施形態では、３つの異なるサイズのすろごく盤Ａ，Ｂ，Ｃが用意されており、これらはＲＯＭ２３に保存されている。なお、用意するすごろく盤のサイズは３つに限られず、いくつであっても構わない。
【００２０】
すごろく盤が選択されると、受け付けた写真のＥｘｉｆ情報に含まれる撮影日付を読み込んで（ステップＳ２１０）、撮影日付が古い順に写真をソートし（ステップＳ２２０）、選択されたすごろく盤の升目数を写真数Ｎで割ることにより写真を均等な間隔でレイアウトするためのレイアウト間隔を設定し（ステップＳ２３０）、設定したレイアウト間隔をもって受け付けた複数枚の写真をレイアウトすると共に（ステップＳ２４０）、レイアウトした写真に対応付けられたイベントをレイアウトした写真の升目の次の升目にレイアウトし（ステップＳ２５０）、写真とイベントとをレイアウトしたすごろく盤の画像を印刷処理を実行して（ステップＳ２６０）、本ルーチンを終了する。なお、印刷処理では、用紙サイズの指定を受け付け、指定された用紙サイズと選択されたすごろく盤のサイズとに基づいてすごろく盤の画像が１枚の用紙に収まらない場合には、複数枚の用紙に分割して印刷が行なわれる。
【００２１】
図６に、写真とイベントとがレイアウトされたすごろく盤の一例を示す。図２のすごろく作成処理ルーチンでは、受け付けた写真を撮影日付の古い順にスタートからゴールに向かって所定の間隔で並ぶようレイアウトすると共に入力されたイベントを対応する写真がレイアウトされた升目の次の升目にレイアウトするから、ユーザー自身が写真やイベントのレイアウトを指定する必要はなく、図示するような、これまでの思い出を振り返ることができるオリジナル性の高いすごろくを比較的容易に作成することができる。
【００２２】
ここで、本実施形態の構成要素と本発明の構成要素との対応関係を明らかにする。本実施形態のすごろく作成処理ルーチンのステップＳ１００，Ｓ１１０の処理を実行するメインコントローラー２１が本発明の「写真受付手段」に相当し、ステップＳ１２０，Ｓ１３０の処理を実行するメインコントローラー２１がイベント受付手段に相当し、ステップＳ２１０〜Ｓ２５０の処理を実行するメインコントローラー２１がレイアウト手段に相当し、ステップＳ２６０の処理を実行するメインコントローラー２１とプリンターユニット３５とが出力手段に相当する。
【００２３】
以上説明した実施例のマルチファンクションプリンター２０によれば、写真と写真に関連のあるイベントとを複数受け付け、写真の撮影日付が古い順にスタートからゴールに向かって並ぶように受け付けた写真をすごろく盤の升目にレイアウトすると共に写真をレイアウトした升目の次の升目に写真に関連のあるイベントをレイアウトするから、オリジナル性の高いすごろくを比較的容易に作成することができる。しかも、受け付けた写真の数に応じて升目の数が異なるすごろく盤を用いるから、写真の数に拘わらずバランスのとれたすごろくを作成することができる。
【００２４】
上述した実施形態では、受け付ける写真の数に応じて異なるすごろく盤を用いるものとしたが、受け付ける写真の数を制限することにより、升目の数が固定されたすごろく盤を用いるものとしてもかまわない。
【００２５】
上述した実施形態では、受け付けた複数枚の写真をすごろく盤の升目に均等な間隔でレイアウトするものとしたが、これに限られず、ランダムな間隔でレイアウトするものとしても差し支えない。
【００２６】
上述した実施形態では、本発明を、すごろくを作成して印刷するマルチファンクションプリンター２０に適用するものとしたが、スキャナー機能を備えないプリンターに適用するものとしてもよい。また、プリンターに限られず、作成したすごろくを表示出力する表示装置に適用するものとしてもよい。
【００２７】
なお、本発明は上述した実施形態に何ら限定されることはなく、本発明の技術的範囲に属する限り種々の態様で実施し得ることはいうまでもない。
【符号の説明】
【００２８】
２０  マルチファンクションプリンター、２１  メインコントローラー、２２  ＣＰＵ、２３  ＲＯＭ、２４  ＲＡＭ、２５  内部通信インターフェース、２６  バス、２８  メモリーカードコントローラー、２８ａ  メモリーカードスロット、３０  プリンターユニット、３２  プリンターＡＳＩＣ、３４  プリンターエンジン、３５  スキャナーユニット、３６  スキャナーＡＳＩＣ、３８  スキャナーエンジン、４０  操作パネル、４２  操作部、４４  ボタン類、４４ａ  電源ボタン、４４ｂ  スタートボタン、４４ｃ  設定ボタン、４４ｄ  モード選択ボタン、４４ｅ  矢印キー、４４ｆ  ＯＫボタン、４４ｇ  戻るボタン、Ｓ  記録紙、ＭＣ  メモリーカード。
【図１】
2011141808.tif 000003
【図２】
2011141808.tif 000004
【図３】
2011141808.tif 000005
【図４】
2011141808.tif 000006
【図５】
2011141808.tif 000007
【図６】
2011141808.tif 000008